(57)【要約】【課題】枠体を用いないフレームにおいて、透明体と裏板とを容易に挟持可能であるとともに衝撃等を受けた場合でも脱落することのない連結手段を備えたフレームを提供すること。【解決手段】透明体２と、透明体２に重ね合わされる、透明体２とともに絵画等を挟持するための裏板３と、前記透明体２及び裏板３を重ね合わした状態で連結するための連結手段４と、を備えたフレームにおいて、前記裏板３の裏面に係止孔３０１を形成するとともに、前記連結手段４は、前記透明体２及び裏板３を重ね合わされた状態で挟持する挟持部５と、該挟持部５に連設された胴部６と、該胴部６に突設した、前記裏板３を透明体２側へ付勢するための押圧部８と、前記胴部６における下方側に突設した、前記係止孔３０１に係止可能な係止突起部７と、を有することを特徴とする。【選択図】図１
0003118266.tif 000002
【実用新案登録請求の範囲】
【請求項１】
透明体（２）と、
該透明体（２）に重ね合わされる、前記透明体（２）とともに絵画、写真等を挟持するための裏板（３）と、
前記透明体（２）及び裏板（３）を重ね合わした状態で連結するための連結手段（４）と、を備えた、写真、絵画等を挟み込んで支持するためのフレームにおいて、
前記裏板（３）の裏面に係止孔（３０１）を形成するとともに、
前記連結手段（４）は、前記透明体（２）及び裏板（３）を重ね合わされた状態で挟持する挟持部（５）と、該挟持部（５）の下方に連設された胴部（６）と、該胴部（６）の下方側に突設した、前記係止孔（３０１）に係止可能な係止突起部（７）と、を有したことを特徴とするフレーム。
【請求項２】
透明体（２）と、
該透明体（２）に重ね合わされる、前記透明体（２）とともに絵画、写真等を挟持するための裏板（３）と、
前記透明体（２）及び裏板（３）を重ね合わした状態で連結するための連結手段（４）と、を備えた、写真、絵画等を挟み込んで支持するためのフレームにおいて、
前記裏板（３）の裏面に係止孔（３０１）を形成するとともに、
前記連結手段（４）は、前記透明体（２）及び裏板（３）を重ね合わされた状態で挟持する挟持部（５）と、
該挟持部（５）に連設された胴部（６）と、
該胴部（６）に突設した、前記裏板（３）を透明体（２）側へ付勢するための押圧部（８）と、
前記胴部（６）における下方側に突設した、前記係止孔（３０１）に係止可能な係止突起部（７）と、を有することを特徴とするフレーム。
【考案の詳細な説明】
【技術分野】
【０００１】
本考案はフレームに係り、より詳しくは、透明体とこの透明体に重ね合わされる裏板とを用いるフレームにおいて、枠体を用いること無く、容易に、透明体と裏板とを重ね合わせた状態で維持可能としたフレームに関する。
【背景技術】
【０００２】
従来から、写真、絵画等を壁等に飾る場合にはフレームが用いられている。即ち、このフレームは、長尺状のフレーム材を多角形状に枠組みすることにより構成された枠体と、この多角形状に枠組みされた枠体内に支持されるとともに、写真、絵画等を挟み込んで支持することが可能な透明体および裏板を備えており、透明体と裏板の間に写真、絵画等を挟み込むことにより、フレームに写真、絵画等を支持し、その後このフレームを壁等に掛けることにより、写真、絵画等を所望する箇所に飾ることを可能としている。
【０００３】
しかしながら、このように構成されるフレームに、例えば絵画、写真等を飾る場合には、絵画、写真等のイメージを損なわないようにする必要があるが、従来のフレームでは、前述したように、枠体に透明体及び裏板を係止する構成であったために、枠体の色、模様等によっては、透明体と裏板で挟持した絵画、写真等のイメージが損なわれてしまうことがあり、このことは、枠体の色や模様と絵画、写真等とが不釣り合いな場合等に起こり得ることである。
【０００４】
一方、このような事態を防止するためには絵画、写真等と釣り合う色や模様の枠体を選ぶことが望ましいが、このような作業は煩わしさに耐えないとともに、絵画、写真等を選んだ後にフレームを選ぶ必要があるために、一度使用したフレームに絵画、写真等を入れ替えることが事実上困難となってしまう。
【０００５】
また、従来のフレームでは、透明体の周縁部を枠体の裏面に形成した載置棚部に係止する構成としていたために、透明体の周縁部全域が枠体に隠れてしまい、透明体の全体を有効に使用することができないという問題点も指摘されている。
【０００６】
そのため、本出願人は過去において、連結手段を用いて透明体と裏板とを重ね合わせた状態で維持可能としたフレームを提案した。そして、これによれば、従来のフレームで必須とされた枠体を無くすることができ、額装する絵画、写真等に釣り合う枠体を備えたフレームを選ぶ必要も無くなり、透明体の全体を有効に活用することが可能となった。
【特許文献１】実用新案登録第３１１２４９８号公報
【考案の開示】
【考案が解決しようとする課題】
【０００７】
ところで、連結手段により透明体と裏板とを重ね合わせた状態で維持する場合には、例えば、透明体と裏板をその周縁部において挟持可能な挟持部材を用いることが考えられるが、単に挟持したのみでは衝撃等により外れてしまうおそれが十分に考えられる。
【０００８】
そこで、本考案は、枠体を用いないフレームにおいて、透明体と裏板とを容易に挟持可能であるとともに衝撃等を受けた場合でも脱落することのない連結手段を備えたフレームを提供することを課題としている。
【課題を解決するための手段】
【０００９】
請求項１に記載の本考案のフレームでは、透明体と、該透明体に重ね合わされる、前記透明体とともに絵画、写真等を挟持するための裏板と、前記透明体及び裏板を重ね合わした状態で連結するための連結手段と、を備えた、写真、絵画等を挟み込んで支持するためのフレームにおいて、
前記裏板の裏面に係止孔を形成するとともに、前記連結手段は、前記透明体及び裏板を重ね合わされた状態で挟持する挟持部と、該挟持部に連設された胴部と、該胴部に突設した、前記係止孔に係止可能な係止突起部と、を有したことを特徴としている。
【００１０】
また、請求項２に記載の本考案のフレームは、透明体と、該透明体に重ね合わされる、前記透明体とともに絵画、写真等を挟持するための裏板と、前記透明体及び裏板を重ね合わした状態で連結するための連結手段と、を備えた、写真、絵画等を挟み込んで支持するためのフレームにおいて、
前記裏板の裏面に係止孔を形成するとともに、前記連結手段は、前記透明体及び裏板を重ね合わされた状態で挟持する挟持部と、該挟持部に連設された胴部と、該胴部に突設した、前記裏板を透明体側へ付勢するための押圧部と、前記胴部における下方側に突設した、前記係止孔に係止可能な係止突起部と、を有することを特徴としている。
【考案の効果】
【００１１】
請求項１に記載の本考案のフレームでは、裏板の裏面に係止孔を形成するとともに、透明体と裏板とを挟持する連結手段は、透明体と裏板とを挟持する挟持部と、裏板の裏面に形成した前記係止孔に係止可能な係止突起部とを有しており、挟持部によって透明体と裏板とを挟持するとともに、この状態で係止突起部を係止孔に係止することで、透明体と裏板とを重ね合わせた状態で維持可能としている。そのために、透明体と裏板とを容易に挟持可能であるとともに衝撃等を受けた場合でも挟持手段が脱落することがない。
【００１２】
また、請求項２に記載の本考案のフレームでは、前記請求項１に記載のフレームにおいて、透明体と裏板とを挟持する連結手段は、透明体と裏板とを挟持する挟持部と裏板の裏面に形成した前記係止孔に係止可能な係止突起部とを有するとともに、更に、裏板を透明体側へ付勢するための押圧部を備えているため、透明体と裏板との密着度を高めることが可能である。
【考案を実施するための最良の形態】
【００１３】
本考案のフレームでは、透明体と、この透明体に重ね合わされる裏板とを備えており、透明体及び裏板により、絵画、写真等を挟持可能としている。
【００１４】
また、本考案のフレームでは、更に、透明体と裏板を、重ね合わされた状態で挟持するための連結手段を備えている。
【００１５】
そして、前記裏板の裏面には係止孔を形成しており、連結手段は、透明体及び裏板を重ね合わされた状態でその周縁部を挟持する挟持部と、該挟持部に連設された胴部と、この胴部に突設した、前記裏板を透明体側へ付勢するための押圧部と、前記胴部の下方に連設した、前記係止孔に係止可能な係止突起部とを有している。
【００１６】
ここで、連結手段における胴部に、裏板を透明体側へ付勢するための押圧部を突設するとよく、これにより、透明体と裏板とを密に重ね合わせることが可能となる。
【実施例１】
【００１７】
本考案のフレームの実施例について図面を参照して説明すると、図１は、本実施例のフレームの斜視図であり、また、図２は、図１におけるＡ−Ａ線断面図であり、図において１が本実施例のフレームである。
【００１８】
そして、本実施例のフレーム１では、略長方形とした透明体２を備えており、本実施例においてこの透明体２は、厚さ１〜２ｍｍ程度のガラス製としており、横寸法約１３センチメートル、縦寸法約１８センチメートルとしている。但しこの寸法は限定されるものではなく、挟持する絵画、写真等のサイズに合わせて任意である。
【００１９】
次に、図において３は裏板である。即ち、本実施例のフレーム１では、前記透明体２とともに絵画、写真等を挟持するための裏板を備えており、本実施例においては、厚さ３ｍｍ前後の平板を用いておりその外形寸法は前記透明体２とほぼ同一としている。
【００２０】
ここで、図４は前記裏板３を背面から示した斜視図であり、図において３０１は係止孔である。即ち、本実施例において前記裏板３は係止孔３０１を有しており、本実施例においては、裏板３における上端よりわずかに下がった部分の中央部分、下端よりわずかにあがった部分の中央部分、及び左右端部よりわずかに内側に入った部分の中央部分に各１カ所ずつ係止孔３０１を形成しており、この係止孔３０１は、裏板３を貫通した貫通孔としている。
【００２１】
次に、図１及び図２において４は連結手段であり、この連結手段４は、前記透明体２及び裏板３を重ね合わせた状態で維持するために用いられる。
【００２２】
ここで、前記連結手段４について詳細に説明すると、図３は、図２における丸で囲った部分を拡大して示した図であり、また、図５は前記連結手段４の斜視図であり、更に図６は前記連結手段４の正面図であり、本実施例において前記連結手段４は、側面形状を略コ字状とした挟持部５を備えている。そして、この挟持部５で、前記重ね合わせた状態の透明体２及び裏板３の周縁部を挟持可能としている。
【００２３】
次に、前記挟持部５の下方側には胴部６が連設されている。即ち、前記挟持部５は、一対の挟持片５０１と、この挟持片５０１をその上端部で連通した連通片５０２とで構成することで挟持空間５０３を有しており、前記胴部６は、前記一方側の挟持片５０１の下方側に連設されている。
【００２４】
そして、前記胴部６は、全体をわずかに湾曲させつつ、挟持部５で透明体２と裏板３を挟持した際に下端部分が前記裏板３に当接するように変形させている。即ち、前記胴部６は、前記一方側の挟持片５０１の下端部分に、斜め下方向へ向けて、即ち挟持空間５０３の下方側へ向けて連設されるとともに、全体をわずかに湾曲させている。
【００２５】
次に、前記胴部６の下端には係止突起部７が、挟持部５で透明体２と裏板３を挟持した際に裏板３側となる方向へ向けて突設されており、この係止突起部７を前記裏板３に形成した係止孔３０１内に係止可能としている。
【００２６】
ここで、前記係止突起部７について説明すると、本実施例において前記係止突起部７は、挟持部５で透明体２と裏板３を挟持した際に裏板３側となる方向へ向けて胴部６の下端から連設した連設部７０１と、この連設部７０１の先端部から前記胴部６側へ向けて連設した舌部７０２とを有している。即ち、前記係止用突起部７は、前記連設部７０１を折りたたんだ形態をしており、その折りたたんだ部分近傍が前記係止孔３０１内に挿入されることとしている。
【００２７】
次に、図において８は押圧部である。即ち、本実施例のフレーム１では、前記胴部６の中央部分に、挟持部５で透明体２と裏板３を挟持した際に裏板３側となる方向へ向けて押圧部８を連設しており、この押圧部８により裏板３を押圧し、これにより透明体２と裏板３との密着度を維持している。
【００２８】
ここで、前記押圧部８について説明すると、本実施例において押圧部８は、前記胴部６を押し出すことにより形成しており、これにより胴部８側へ変形可能とし、板バネ状の作用を有している。そして、重ね合わせた状態の透明体２及び裏板３の周縁部を挟持部５により挟持した状態においては、押圧部８が、裏板３を透明体２側へ付勢可能としている。そのために、この押圧部８の存在により、裏板３と透明体２とを、より密着させて維持することを可能としている。
【００２９】
また、この押圧部８の存在により、挟持部５における挟持片５０１間の寸法に余裕を持たせることができ、これにより、連結手段４に汎用性を持たせることが可能となる。
【００３０】
即ち、押圧部８が無いとした場合には、透明体２と裏板３とを重ね合わせた状態で維持するためには、挟持部５における一対の挟持部片５０１間の寸法を、透明体２と裏板３とを重ね合わせた場合の厚み寸法と同等の寸法にしなければないが、このとき、透明体２，裏板３の厚さ寸法は、強度の関係もあり、外形寸法に応じて異なったものにせざるを得ない。即ち、外形寸法が大きい場合には厚さ寸法も大きくせざるを得ない。
そうすると、押圧部を備えない場合には、厚さの異なる透明体２，裏板３のそれぞれに対応させた連結手段を用意しなければならなくなり、煩わしさに耐えなくなる。
しかしながら、本実施例では、押圧部８を備えてこの押圧部８により裏板３を透明体２側に付勢可能としており、これにより、挟持部５における一対の挟持部片５０１間の寸法が透明体２と裏板３とを重ね合わせた場合の厚み寸法よりも大きい場合でも、透明体２と裏板３とを密着させることを可能としているため、透明体２、裏板３の厚さに影響されない連結手段とすることができ、連結手段に汎用性を持たせることが可能となる。
但し、この押圧手段８は必ずしも必要なものではなく、挟持部５における挟持部片５０１間の寸法が、透明体２と裏板３とを重ね合わせた場合の厚み寸法と同等の寸法であれば、特にこれを備えなくてもよい。
【００３１】
なお、図において６０１は前記押圧部８を押し出すことにより形成された切り欠き部である。
【００３２】
次に、このように構成される本実施例のフレームの作用について説明すると、本実施例のフレーム１に絵画、写真等を額装する場合には、まず、透明体２と裏板３間に絵画、写真等を挟み込む。そして、この絵画、写真等を挟み込んだ状態の透明体２及び裏板３の周縁部を連結手段４の挟持部５で挟持するとともに、連結手段４の係止突起部７を、裏板３に形成した係止孔３０１内に挿入する。
【００３３】
そうすると、連結手段４は、挟持部５によって透明体２及び裏板３を挟持した状態で維持され、これにより、枠体を用いること無く、絵画、写真等を額装することが可能である。
【００３４】
そしてこのとき、本実施例のフレーム１では、絵画、写真等を挟み込んだ状態の透明体２及び裏板３の周縁部を連結手段４の挟持部５で挟持するのみで良いので、透明体２と裏板３とを容易に挟持可能である。
【００３５】
また、係止用突起部７を係止孔３０１内に挿入しているため、衝撃等を受けた場合でも連結手段４が脱落することがない。
【００３６】
更に、押圧部８を用いて裏板３を透明体２側に付勢しているため、前述したように、連結手段４に汎用性を持たせることが可能である。
【産業上の利用可能性】
【００３７】
本考案のフレームは、連結手段を用いて透明体と裏板とを重ね合わせた状態で連結可能とし、これにより枠体を無くしているために、透明体と裏板とで絵画、写真等を挟持固定可能なフレームの全般に適用可能である。
【図面の簡単な説明】
【００３８】
【図１】本考案のフレームの実施例の斜視図である。
【図２】図１におけるＡ−Ａ線断面図である。
【図３】図２における丸で囲った部分を拡大した図である。
【図４】本考案のフレームの実施例における裏板を背面側から示した斜視図である。
【図５】本考案のフレームの実施例における連結手段の斜視図である。
【図６】本考案のフレームの実施例における連結手段の正面図である。
【符号の説明】
【００３９】
１    フレーム
２    透明体
３    裏板
４    連結手段
５    挟持部
５０１    挟持片
５０２    連通片
５０３    挟持空間
６    胴部
６０１    切り欠き
７    係止用突起部
７０１    連設部
７０２    舌部
８    押圧部
【図１】
0003118266.tif 000003
【図２】
0003118266.tif 000004
【図３】
0003118266.tif 000005
【図４】
0003118266.tif 000006
【図５】
0003118266.tif 000007
【図６】
0003118266.tif 000008